(57)【要約】入力信号、第１局部発振器（LO）信号と、前記第１局部発振器（LO）信号の周波数の２倍である周波数の第２局部発振器（2LO）信号を受けるように構成され、前記第２局部発振器（2LO）信号の遷移で入力信号を切り替えるように構成されたスイッチング構造を含むアップコンバータ構造。
2010531628.tif 000002
【特許請求の範囲】
【請求項１】
入力信号、第１局部発振器（LO）信号と、前記第１局部発振器（LO）信号の周波数の２倍である周波数の第２局部発振器（2LO）信号を受けるように構成され、前記第２局部発振器（2LO）信号の遷移で入力信号を切り替えるように構成されたスイッチング構造を含むアップコンバータ構造。
【請求項２】
前記スイッチング構造は、前記第１局部発振器（LO）信号が安定している時間の間に前記入力信号を切り替える実効局部発振器（eLO）信号となる請求項１に記載のシステム。
【請求項３】
前記スイッチング構造は、
前記第２局部発振器（2LO）信号を受けるように構成された第１組のスイッチ、及び
前記第１局部発振器（LO）信号を受けるように構成された第２組のスイッチを更に含む請求項１に記載のシステム。
【請求項４】
前記第２組のスイッチは、前記第１組のスイッチが前記入力信号を破棄した時、アクティブである請求項３に記載のシステム。
【請求項５】
前記入力信号を前記第１組のスイッチに提供するように配置されたコンダクタンス増幅器を更に含む請求項３に記載のシステム。
【請求項６】
前記スイッチング構造は、
前記第１局部発振器（LO）信号を受けるように構成された第１組のスイッチ、及び
前記第２局部発振器（2LO）信号を受けるように構成された第２組のスイッチを更に含む請求項１に記載のシステム。
【請求項７】
前記第１組のスイッチは、前記第２組のスイッチが前記入力信号を破棄した時、アクティブである請求項６に記載のシステム。
【請求項８】
前記第２組のスイッチは、前記入力信号の各直交位相のための２つのスイッチ素子を更に含む請求項６に記載のシステム。
【請求項９】
前記スイッチング構造は、
前記第２局部発振器（2LO）信号を受けるように構成された第１組のスイッチ、及び
前記第１局部発振器（LO）信号を受けるように構成された第２組のスイッチを更に含む請求項１に記載のシステム。
【請求項１０】
入力信号、第１局部発振器（LO）信号と、前記局部発振器（LO）信号の周波数の２倍である周波数の第２局部発振器（2LO）信号を受けるように構成され、前記第２局部発振器（2LO）信号の遷移で入力信号を切り替えるように構成されたスイッチング構造を含み、前記第１局部発振器信号と前記第２局部発振器信号は、統合されて統合したLO
2LOスイッチング信号を形成するアップコンバータ。
【請求項１１】
前記スイッチング構造は、前記第１局部発振器（LO）信号が安定している時間の間に前記入力信号を切り替える実効局部発振器（eLO）信号となる請求項１０に記載のアップコンバータ。
【請求項１２】
前記スイッチング構造は、前記入力信号の各２つの直交位相のための４つのスイッチ素子を更に含む請求項１１に記載のアップコンバータ。
【請求項１３】
入力信号を受けるステップ、及び
第１局部発振器（LO）信号と、前記第１局部発振器（LO）信号の周波数の２倍である周波数の第２局部発振器（2LO）信号を用いて前記入力信号を切り替えるステップを含み、前記切り替えのステップは、前記第２局部発振器（2LO）信号の遷移で生じ、且つ前記第１局部発振器信号と前記第２局部発振器信号が統合されて統合したLO
2LOスイッチング信号を形成する信号をアップコンバートする方法。
【請求項１４】
前記第１局部発振器（LO）信号が安定している時間の間に実効局部発振器（eLO）信号が前記入力信号を切り替えるステップを更に含む請求項１３に記載の方法。
【請求項１５】
前記入力信号が前記第２局部発振器（2LO）信号によって破棄された時、前記第１局部発振器（2LO）信号を用いて前記入力信号を切り替えるステップを更に含む請求項１４に記載の方法。
【請求項１６】
望ましい局部発振器（LO）の周波数の２倍である周波数の局部発振器（2LO）信号を生成するように構成された周波数源、
望ましい局部発振器（LO）の周波数の２倍である周波数の局部発振器（2LO）信号を受けるように構成された分配器、及び
前記2LO信号と前記LO信号を受けるように構成され、前記2LO信号の遷移で無線周波数入力信号をスイッチするように構成されたパッシブミキサーを含み、前記2LO信号と前記2LO信号は、統合されて統合したLO
2LOスイッチング信号を形成し、前記分割器によって寄与されたノイズが前記パッシブミキサーによって抑えられるパッシブミキサーを有する送信器アップコンバータ構造。
【請求項１７】
前記パッシブミキサーに供給される同相（I）入力信号または直交位相（Q）入力信号を更に含み、前記パッシブミキサーが前記Q入力信号から前記I入力信号を分離するステップを更に含む請求項１６に記載の方法。
【発明の詳細な説明】
【技術分野】
【０００１】
本発明は、同相／直交位相（Ｉ／Ｑ）変調器のＬＯ  ２ＬＯ  アップコンバータに関するものである。
【背景技術】
【０００２】
例えば、携帯電話、ＰＤＡ、ＷＩＦＩトランシーバと、その他の通信機器などの携帯用通信機器は、いくつかの異なる周波数帯を用いて通信することができなければならない。例えば、現在の携帯用通信機器は、３、４またはより多くの通信帯域で通信することができる。
【０００３】
複数の周波数帯で動作する携帯用通信機器を設計する挑戦の１つは、送信周波数と受信周波数間の分離（ｉｓｏｌａｔｉｏｎ）を提供していることである。例えば、特定の送信周波数の送信エネルギーは、受信周波数と重複かつ干渉してはならない。この分離を確実にする１つの方法は、各送信機の出力に表面弾性波（ＳＡＷ）フィルタを実装することである。ＳＡＷフィルタは、受信機の周波数で送信機の出力のノイズを減少し、受信機の感度を悪くするのを防ぐ。しかしＳＡＷフィルタは、集積回路で貴重なスペースを使い、実装に費用がかかる。よって、単一の無線周波数（ＲＦ）トランシーバー内により多くの標準を含むことが求められるため、送信機の設計でＳＡＷフィルタをなくすことがコストとパッケージサイズを減らす助けとなり、非常に魅力的となっている。
【０００４】
送信経路からＳＡＷフィルタをなくすために、送信機のノイズは、対応する受信周波数で低くなければならない。しかし、使用できる送信機の構造で送信機のノイズをそのような低レベルに下げることは、可能ではない。
【０００５】
現代のＲＦ送信機では、ベースバンドデータのアップコンバージョンは、ミキシング（ｍｉｘｉｎｇ）とも呼ばれる、キャリア信号でデータ信号を乗算（ｍｕｌｔｉｐｌｙｉｎｇ）することによって実現される。三角恒等式を用いる。
【０００６】
【数１】
2010531628.tif 000003
【０００７】
ベースバンド信号は、周波数領域の２つのサイドバンド内にアップコンバートされる。生成されたサイドバンドの１つだけが重要性があるため、不要なサイドバンドは、ベースバンド信号とＬＯ信号の両方の同相（Ｉまたはサイン）と直交位相（Ｑまたはコサイン）信号を用いることでカットされる。
【０００８】
同相信号と直交位相信号間の９０度の相分離（ｐｈａｓｅ  ｓｅｐａｒａｔｉｏｎ）に依存する同相（Ｉ）直交位相（Ｑ）（Ｉ／Ｑ）変調器では、達成できるパフォーマンスを制限する最も重要な回路要素の１つがアップコンバータの局部発振器（ＬＯ）信号の生成回路である。ＬＯ信号は、ベースバンド情報の信号を送信信号にアップコンバートするのに用いられる基準信号と考えられることができる。よって、主要周波数から離れているオフセット周波数のＬＯ信号の位相ノイズは、送信機の出力のノイズに対して直接の原因となる。具体的に言えば、異なるユーザーチャンネルの受信周波数を覆うオフセット周波数には、位相ノイズ特性は、非常に重要になる。一般的に、ＬＯ信号を生成する回路は、集積回路でかなりの回路面積を占めて、低位相ノイズを維持するために、高い電力を消費する。
【０００９】
ベースバンド信号とＬＯ信号は、“ミキサーコア（ｍｉｘｅｒ  ｃｏｒｅ）”と呼ばれるコアに組み込まれる。ミキサーコアは、伝送チェーン（ｔｒａｎｓｍｉｔ  ｃｈａｉｎ）でもう１つの重要な要素である。ＬＯ信号を生成する回路に類似して、ミキサーコアも送信機の出力のノイズに対して直接の原因となるノイズを発生する。通常、アクティブミキサーは、ノイズを低く維持するために、高い電力を消費する。パッシブミキサーは、電力を消費しないがＩとＱベースバンド入力間の制限された分離を提供する。ＩとＱベースバンド入力間のよい分離は、大部分の送信機にとって不可欠である。
【００１０】
よって、低位相ノイズを達成するアップコンバータを有し、最小の回路面積と電力を費やす、よいサイドバンド分離を提供することが望ましい。
【発明の概要】
【発明が解決しようとする課題】
【００１１】
低位相ノイズを達成するアップコンバータを有し、最小の回路面積と電力を費やす、よいサイドバンド分離を提供することができる同相／直交位相（Ｉ／Ｑ）変調器のＬＯ  ２ＬＯ  アップコンバータを提供する。
【課題を解決するための手段】
【００１２】
アップコンバータの実施例は、入力信号、第１局部発振器（ＬＯ）信号と、局部発振器（ＬＯ）信号の周波数の２倍である周波数の第２局部発振器（２ＬＯ）信号を受けるように構成されたスイッチング構造を含み、前記スイッチング構造は、第２局部発振器（２ＬＯ）信号の遷移で入力信号を切り替えるように構成され、第１局部発振器信号と第２局部発振器信号は、統合されて統合したＬＯ  ２ＬＯスイッチング信号を形成する。
【図面の簡単な説明】
【００１３】
【図１】簡易化したポータブルトランシーバを示すブロック図である。
【図２】Ｉ／Ｑ変調器のＬＯ  ２ＬＯ  アップコンバータの実施例を示す簡易化した概略図である。
【図３Ａ】アクティブミキサー配置で実施されるＬＯ  ２ＬＯ  アップコンバータの実施例を示す概略図である。
【図３Ｂ】パッシブミキサー配置で実施されるＬＯ  ２ＬＯ  アップコンバータの実施例を示す概略図である。
【図４】図３Ａと３Ｂのミキサーコアに用いられるＬＯと２ＬＯ信号のグラフ図である。
【図５】ＬＯ  ２ＬＯ  アップコンバータの実施例に基づいて構成された、異なるアクティブミキサーコアを示す概略図である。
【図６】ＬＯ  ２ＬＯ  アップコンバータの実施例に基づいて構成された、異なるパッシブミキサーコアを示す概略図である。
【図７】ＬＯ  ２ＬＯ  アップコンバータの実施例に基づいて構成された、異なるパッシブミキサーコアの他の実施例を示す概略図である。
【図８】ＬＯ  ２ＬＯ  アップコンバータの実施例に基づいて構成された、異なるパッシブミキサーコアのその他の他の実施例を示す概略図である。
【図９】ここに記述されるＬＯ信号を生成できる回路の例を示す概略図である。
【図１０】図８で記述されたＬＯ  ２ＬＯアップコンバータの実施例で用いられるＬＯ信号を表すグラフ図である。
【図１１】ＬＯ  ２ＬＯアップコンバータの実施例の動作を説明する流れ図である。
【発明を実施するための形態】
【００１４】
本発明についての目的、特徴、長所が一層明確に理解されるよう、以下に実施形態を例示し、図面を参照にしながら、詳細に説明する。
【実施例】
【００１５】
ポータブルトランシーバに特に関連して説明されるが、Ｉ／Ｑ変調器のＬＯ  ２ＬＯ  アップコンバータは、パッシブミキサーに実装されることができるか、またはアクティブミキサーに実装されることができる。また、Ｉ／Ｑ変調器のＬＯ  ２ＬＯ  アップコンバータは、ミキサーコアに実装されることができるか、または従来のミキサーコアを有するＬＯ発生回路に実装されることができる。
【００１６】
パッシブミキサーは、低電力消費、低ノイズと、高直線性を提供するが、次の段階からよりよい性能を必要とする。パッシブミキサーの最も解決の難しい欠点は、ＩとＱ入力間の分離がないことである。分離がないということは、サイドバンド除去を大幅に減少し、多くのアプリケーションでパッシブミキサーの効果的な使用を制限する。アクティブミキサーは、ゲインを提供するため、次の段階のノイズ寄与を全体のシステムノイズに減少する。しかし、アクティブミキサーは、かなりの量の電流を消費して良いノイズと直線性性能を得る傾向がある。
【００１７】
直交位相ＩとＱ  ＬＯ信号の生成もミキサー動作に重要である。位相ノイズとＩとＱの両方が直交位相ＬＯ信号と適合することが重要であることから、ＬＯ信号の生成に関連した回路は、通常、高い電力を消費し、回路上で広域を占める。
【００１８】
Ｉ／Ｑ変調器のＬＯ  ２ＬＯ  アップコンバータは、上述の大部分の課題を克服する。Ｉ／Ｑ変調器のＬＯ  ２ＬＯ  アップコンバータは、ＬＯチェーン位相ノイズの寄与を全体のシステムノイズに大幅に減少する。Ｉ／Ｑ変調器のＬＯ  ２ＬＯ  アップコンバータはまた、アップコンバータのサイドバンド除去を低下させるＬＯチェーンのＩＱインバランスの影響も減少させる。
【００１９】
また、パッシブミキサーのＩとＱ入力間の分離を改善することによって、Ｉ／Ｑ変換器のＬＯ  ２ＬＯアップコンバータは、サイドバンド除去性能を低下させることなく、多数のアプリケーションでパッシブミキサーを用いることを可能にする。
【００２０】
Ｉ／Ｑ変換器のＬＯ  ２ＬＯアップコンバータは、ハードウェア、ソフトウェア、またはハードウェアとソフトウェアの組み合わせで実施されることができる。ハードウェアに実施された時、Ｉ／Ｑ変換器のＬＯ  ２ＬＯアップコンバータは、専用のハードウェア素子とロジックを用いて実施されることができる。Ｉ／Ｑ変換器のＬＯ  ２ＬＯアップコンバータがソフトウェアに部分的に実施された時、ソフトウェアの部分は、ＬＯ  と２ＬＯ信号を生成する時、さまざまな構成要素を正確に制御するのに用いられることができる。ソフトウェアはメモリに保存されて、適当な命令実行システム（マイクロプロセッサ）によって実行されることができる。Ｉ／Ｑ変換器のＬＯ  ２ＬＯアップコンバータのハードウェアの実施は、当技術分野で周知である次の技術、例えば、個々の電子構成要素、データ信号にロジック機能を実装するロジックゲートを有する個々のロジック回路、適当なロジックゲートを有する特定用途向け集積回路、プログラマブルゲートアレイ（ＰＧＡ）、フィールドプログラマブルゲートアレイ（ＦＰＧＡ）などのどんな組み合わせも含むことができる。
【００２１】
Ｉ／Ｑ変換器のＬＯ  ２ＬＯアップコンバータのソフトウェアは、ロジック機能を実施する実行可能命令の順序付きリストを含み、命令実行システム、装置、またはデバイス（例えばコンピュータベースのシステム、プロセッサを含むシステム、または命令実行システム、装置、またはデバイスから命令を取り出して、命令を実行することができる他のシステムなどのデバイス）で用いる、またはそれらに関連するどんなコンピュータ読取り可能な媒体にも統合されることができる。
【００２２】
この文書の文脈では、“コンピュータ読取り可能な媒体”は、命令実行システム、装置、またはデバイスで用いる、またはそれらに関連するプログラムを含有、保存、通信、伝播、または伝送することができるどんな手段でもあることができる。コンピュータ読取り可能な媒体は、例えば電子、磁気、光学、電磁気、赤外線、または半導体システム、装置、デバイスまたは伝播媒体であることができるがこれらを限定するものではない。コンピュータ読取り可能な媒体のより特定の例（限定的なリスト）は、下記の１つ、または１つ以上の配線を有する電気的接続（電子）、フロッピー（登録商標）ディスク（磁気）、ランダムアクセスメモリ（ＲＡＭ）、読出し専用メモリ（ＲＯＭ）、消去可能半固定記憶装置（ＥＰＲＯＭまたはフラッシュメモリ）（磁気）、光ファイバ（光学）と、ポータブルＣＤ−ＲＯＭ（ＣＤＲＯＭ）（光学）を含むことができる。注意するのは、コンピュータ読取り可能な媒体は、プログラムがプリントされる紙または他の適当な媒体でもあることができ、例えば、紙または他の媒体の光学的走査によって、プログラムが電子的に収集された時、作成され、解釈されるか、または必要に応じて適当な方法で処理され、続いてコンピュータメモリに保存される。
【００２３】
図１は、簡易化したポータブルトランシーバ１００を示すブロック図である。Ｉ／Ｑ変換器のＬＯ  ２ＬＯアップコンバータの実施例は、どんなＲＦ送信機またはＲＦ送受信機でも実施されることができ、この実施例では、ポータブルトランシーバ１００に関連したＲＦ送信機に実施される。図１に示されたポータブルトランシーバ１００は、簡易化した例であり、Ｉ／ＱモジュレータのＬＯ  ２ＬＯアップコンバータが実施されることができる多くの可能なアプリケーションの１つを示すことを目的としている。当業者は、ポータブルトランシーバの動作を理解できるであろう。ポータブルトランシーバ１００は、送信機１１０、受信機１２０、ベースバンドサブシステム１３０、デジタルアナログコンバータ（ＤＡＣ）１６０とアナログデジタルコンバータ（ＡＤＣ）１７０を含む。送信機は、変調器１１６と、アップコンバータ２００を含む。実施例では、アップコンバータ２００は、変調器１１６のサブシステムであることができる。他の実施例では、アップコンバータ２００は、個別の回路ブロックまたは回路素子であることができる。アップコンバータ２００は、Ｉ／ＱモジュレータのＬＯ  ２ＬＯアップコンバータの実施例を実施する。
【００２４】
送信機は、ベースバンド信号を変調し、アップコンバートする他の機能要素も含む。受信機１２０は、受けたＲＦ信号からの情報信号の復元を可能にする。ポータブルトランシーバ１００は、電力増幅器１４０も含む。送信機１１０の出力は、接続１１２によって電力増幅器１４０に提供される。通信方法論に従い、ポータブルトランシーバは、電力増幅器制御素子（図示せず）も含むことができる。
【００２５】
受信機１２０と電力増幅器１４０は、フロントエンドモジュール１４４に接続される。フロントエンドモジュール１４４は、デュプレクサ、ダイプレクサ、または受信信号から送信信号を分離するどんな素子であることもできる。フロントエンドモジュール１４４は、接続１４２によってアンテナ１３８に接続される。
【００２６】
送信モードでは、電力増幅器１４０の出力は、接続１１４によってフロントエンドモジュール１４４に提供される。受信モードでは、フロントエンドモジュール１４４は、接続１４６によって受信信号を受信機１２０に提供する。
【００２７】
Ｉ／ＱモジュレータのＬＯ  ２ＬＯアップコンバータの一部がソフトウェアに実装された場合、ベースバンドサブシステム１３０は、マイクロプロセッサ１３５によって、または他のプロセッサによって実行されることができるＬＯ  ２ＬＯアップコンバータソフトウェア１５５も含み、後述するＩ／ＱモジュレータのＬＯ  ２ＬＯアップコンバータの動作を制御する。
【００２８】
送信している時、ベースバンド送信信号は、接続１３２によってベースバンドサブシステム１３０からＤＡＣ１６０に提供される。ＤＡＣ１６０は、デジタルベースバンド送信信号を接続１３４によって送信機１１０に供給されるアナログ信号に変換する。モジュレータ１１６とアップコンバータ２００は、ポータブルトランシーバ１００が動作中のシステムに定められた変調フォーマットに基づいて、アナログ送信信号を変調し、アップコンバートする。続いて、変調されてアップコンバートされた送信信号は、接続１１２によって電力増幅器１４０に供給される。
【００２９】
受信している時、フィルタリングされ、ダウンコンバートされた受信信号は、接続１３６によって受信機１２０からＡＤＣ１７０に供給される。ＡＤＣは、アナログ受信信号をデジタル化し、接続１３８によってアナログベースバンド受信信号をベースバンドサブシステム１３０に提供する。ベースバンドサブシステム１３０は、送信された情報を復元する。
【００３０】
図２は、Ｉ／Ｑ変調器のＬＯ  ２ＬＯ  アップコンバータの実施例を示す簡易化した概略図である。アップコンバータ２００は、望ましいＬＯ信号の周波数の２倍である接続２０４でＬＯ信号を生成するように構成される発振器２０２を含む。例えば、望ましいＬＯ周波数が公称１００ＭＨｚである場合、接続２０４の信号は公称２００ＭＨｚである。アップコンバータ２００はまた、ミキサーコア２１２とミキサーコア２１４を含むこともできる。ミキサーコア２１２と２１４は、直交信号ＩとＱで動作するように配置される。例えば、同相信号、Ｉ＿ｉｎは、接続２０６によってミキサーコア２１２に供給され、直交位相入力信号、Ｑ＿ｉｎは、接続２０８によってミキサーコア２１４に供給される。
【００３１】
接続２０４の２ＬＯ信号は、ミキサーコア２１２と２１４に供給され、分配器２２２にも供給される。実施例では、分配器２２２は、直交分配器である。分配器２２２は、接続２０４の２ＬＯ信号を接続２１６と２１８のＬＯ信号の公称値に分配する。この実施例では、ＬＯ＿Ｉ信号は、接続２１６によってミキサーコア２１２に供給され、ＬＯ＿Ｑ信号は、接続２１８によってミキサーコア２１４に供給される。
【００３２】
以下に更に詳しく記述されるように、ミキサーコア２１２と２１４は、ＬＯ信号と２ＬＯ信号をそれぞれ受ける。ミキサーコア２１２は、最小のノイズと機能障害でＩ＿ｉｎ信号をアップコンバートし、ミキサーコア２１４は、Ｑ＿ｉｎ信号をアップコンバートする。アップコンバートされたＩ＿ｉｎ信号は、接続２２４によって統合素子（ｃｏｍｂｉｎｉｎｇ  ｅｌｅｍｅｎｔ）２２８に供給され、アップコンバートされたＱ＿ｉｎ信号は、接続２２６によって統合素子２２８に供給される。接続２３２の統合素子２２８の出力は、電力増幅器１４０（図１）に供給される出力信号である。同相信号または直交位相信号のどちらでも、最終の統合素子動作を加算（または減算）に変えることによって、または最終の動作を変えることなくＩとＱ  ＬＯ信号を交換することによって選ばれることができる。
【００３３】
アップコンバータ２００の構成は、直交ＬＯ信号、ＬＯ＿ＩとＬＯ＿Ｑを生成するように用いられる分周期のノイズ寄与を抑えるため、送信ノイズとサイドバンド生成を最小限にする。また、後述のように、アップコンバータ２００の構成は、パッシブミキサーの実施のためにＩとＱ入力間で入力分離の高レベルを提供する。
【００３４】
図３Ａは、アクティブミキサー構成で実施されるＬＯ  ２ＬＯ  アップコンバータの実施例を示す概略図である。ミキサーコア３００は、接続３０２と３０４によって異なる入力信号を受けるように構成される。簡易化のため、２つの直交位相の１つだけが図３Ａに示される。同相（Ｉ）信号または直交位相（Ｑ）信号のどちらかがミキサーコア３００に供給される。
【００３５】
ミキサーコア３００は、１組のスイッチ３１０と１組のスイッチ３２０を含む。１組のスイッチ３１０は、スイッチ３１２、３１４、３１６と、３１８を含む。スイッチ３１２、３１４、３１６と、３１８は、シンプルな単極、単投スイッチで示されており、どんなタイプのスイッチでも用いられることができることを示している。例えば、バイポーラ接合トランジスタ、電界効果トランジスタ、その変形、またはその他のスイッチ構成など、どんなタイプの半導体スイッチでも後に続く説明に実施されることができる。
【００３６】
１組のスイッチ３１０は、２ＬＯ信号を受けるように構成される。例えば、接続３０２によって供給された異なる入力信号は、スイッチ３１２と３１４に供給される。スイッチ３１２は、２ＬＯ信号を受け、スイッチ３１４は、
（外１）
2010531628.tif 000004
、または2LOバーとも呼ばれる、逆の２LO信号を受ける。スイッチ３１６と３１８は、接続３０４によって逆の異なる信号を受ける。スイッチ３１６は、
（外２）
2010531628.tif 000005
信号を受け、スイッチ３１８は、２LO信号を受ける。
【００３７】
１組のスイッチ３２０は、スイッチ３２２、３２４、３２６と、３２８を含む。１組のスイッチ３２０は、LO信号を受けるように構成される。スイッチ３２２は、LO信号を受け、スイッチ３２４と３２６は、
（外３）
2010531628.tif 000006
、またはLOバーとも呼ばれる、逆のLO信号を受け、スイッチ３２８は、LO信号を受ける。
【００３８】
スイッチ３１２の出力は、接続３１９によってスイッチ３２２と３２４に供給される。スイッチ３１８の出力は、接続３２１によってスイッチ３２６と３２８に供給される。スイッチ３１４の出力は、端子３３６に提供され、スイッチ３１６の出力は、端子３３８に提供される。スイッチ３１４と３１６の出力は、スイッチ３１４と３１６がアクティブの時、破棄される。ミキサーコア３００の出力は、接続３３２と３３４によってされる。
【００３９】
ミキサーコア３００は、上述のように２つのレベルのスイッチ３１０と３２０、即ちLOと２LOレベルを含む。図３Aに示されるようなアクティブミキサーでは、低フリッカノイズが望まれる場合、2LOスイッチ３１２、３１４、３１６と、３１８のレベルは、LOスイッチ３２２、３２４、３２６と、３２８の前に位置されなければならない。
【００４０】
図３Bは、パッシブミキサー配置で実施されるLO  2LOアップコンバータの実施例を示す概略図である。ミキサーコア３５０は、接続３５２と３５４によって異なる入力信号を受けるように構成される。簡易化のために、２つの位相の１つだけが図３Bに示される。同相信号または直交位相信号のどちらかがミキサーコア３５０に供給される。
【００４１】
ミキサーコア３５０は、１組のスイッチ３６０と１組のスイッチ３７０を含む。１組のスイッチ３６０は、スイッチ３６２、３６４、３６６と、３６８を含む。１組のスイッチ３６０は、LO信号を受けるように構成される。例えば、接続３５２によって供給された異なる入力信号は、スイッチ３６２と３６４に供給される。スイッチ３６２は、LO信号を受け、スイッチ３６４は、
（外４）
2010531628.tif 000007
、またはLOバーとも呼ばれる、逆のLO信号を受ける。スイッチ３６６と３２８は、接続３５４によって逆の異なる信号を受ける。スイッチ３６６は、
（外５）
2010531628.tif 000008
信号を受け、スイッチ３６８は、LO信号を受ける。
【００４２】
１組のスイッチ３７０は、スイッチ３７２、３７４、３７６と、３７８を含む。１組のスイッチ３７０は、2LO信号を受けるように構成される。スイッチ３７２は、2LO信号を受け、スイッチ３７４と３７６は、
（外６）
2010531628.tif 000009
、または 2LOバーとも呼ばれる、逆の2LO信号を受け、スイッチ３７８は、2LO信号を受ける。
【００４３】
スイッチ３６２の出力は、接続３６９によってスイッチ３７２と３７４に供給される。スイッチ３６８の出力は、接続３７１によってスイッチ３７６と３７８に供給される。スイッチ３６４の出力は、接続３７１に供給され、スイッチ３６６の出力は、接続３６９に供給される。ミキサーコア３５０の出力は、接続３８２と３８４によってされる。スイッチ３７４の出力は、端子３８６に提供され、スイッチ３７６の出力は、端子３８８に提供される。スイッチ３７４と３７６の出力は、スイッチ３７４と３７６がアクティブの時、破棄される。
【００４４】
ミキサーコア３５０は、上述のように２つのレベルのスイッチ３６０と３７０、即ちＬＯと２ＬＯレベルを含む。図３ｂに示されるようなパッシブミキサーでは、ＬＯスイッチ３６２、３６４、３６６と、３６８は、２ＬＯスイッチ３７２、３７４、３７６と、３７８の前、または後に位置されることができる。実施例では、ＬＯスイッチ３６２、３６４、３６６と、３６８は、２ＬＯスイッチ３７２、３７４、３７６と、３７８の前に位置される。
【００４５】
図３Ａと図３Ｂに示される実施例の両方は、ＬＯ周波数の２倍、２ＬＯによって動かされる付加的レベルのスイッチを含む。信号２ＬＯは、ＬＯ信号のＩとＱ位相が、ＩとＱ  ＬＯ信号の生成の一般的な方法である分周器（例えば図２の分配器２２２）を用いることによって生成された場合、すぐに用いられることができる。また、２ＬＯ信号を生成する他の方法も可能である。
【００４６】
図４は、図３Ａと３Ｂのミキサーコアに用いられるＬＯと２ＬＯ信号のグラフ図である。図表４００は、２ＬＯ信号を表す信号トレース４０２、ＬＯ信号を表す信号トレース４０４と、実効（ｅｆｆｅｃｔｉｖｅ）ＬＯ（ｅＬＯ）信号を表す信号トレース４０６を含む。ＬＯ信号４０４の正と負のサイクルは、スイッチ配置の直接的な結果である“１”と“−１”とそれぞれ関連している。しかし、２ＬＯ信号４０２の正と負のサイクルは、負のサイクルで入力信号が破棄されるため、“１”と“０”と関連する。よって、信号の半分と雑音の半分を破棄することは、二次効果によりアップコンバータのノイズ特性を改善する。実効ＬＯ信号４０６は、２ＬＯ信号４０２が切り替わる（ｓｗｉｔｃｈ）時のみのミキサーコア（３００または３５０）のスイッチングを示している。このように、ＬＯ信号４０４は、２ＬＯスイッチがアクティブの時、ＬＯ信号４０４は常に固定されて安定し、スイッチング遷移中でなくなる。これは、図４の４１０、４１２、４１４と、４１６に示される。このように、ＬＯと２ＬＯ位相の配置は、ミキサーコアに最適なパフォーマンスを達成させる。例えばＩとＱ信号間の位相ノイズまたはインバランスのＬＯ信号の如何なる非理想性も抑えるために、ＬＯ信号４０４のスイッチングの瞬間は、２ＬＯ信号４０２の“０”の間に生じる。図４に示されるように、これは、実効ＬＯ信号４０６は、ＬＯ信号の遷移に依存せず、２ＬＯ信号４０２の遷移にのみ依存する。
【００４７】
図５は、ＬＯ  ２ＬＯアップコンバータの実施例に基づいて構成された、異なるアクティブミキサーコアを示す概略図である。ミキサーコア５００は、同相ミキサーコア５０５と直交位相ミキサーコア５５５を含む。同相ミキサーコア５０５は、接続５０２と５０４によって異なる同相（Ｉ）入力信号を受ける。接続５０２と５０４の信号は、Ｇｍ段５０６とも呼ばれるコンダクタンス増幅器に供給される。Ｇｍ段５０６の出力は、接続５０８と５０９によって供給される。
【００４８】
同相ミキサーコア５０５は、第１組のスイッチ５１０と第２組のスイッチ５２０を含む。第１組のスイッチ５１０は、２ＬＯ信号を受けるように構成され、第２組のスイッチ５２０は、ＬＯ信号を受けるように構成される。
【００４９】
第１組のスイッチ５１０は、５１２、５１４、５１６と、５１８を含む。Ｇｍ段５０６の出力は、接続５０８でスイッチ５１２と５１４に供給される。Ｇｍ段５０６の出力は、接続５０９でスイッチ５１６と５１８に供給される。２ＬＯ信号は、スイッチ５１２を制御し、
（外７）
2010531628.tif 000010
信号は、スイッチ５１４と５１６を制御し、2LO信号は、スイッチ５１８を制御する。
【００５０】
第２組のスイッチ５２０は、５２２、５２４、５２６と、５２８を含む。第２組のスイッチ５２０は、LO信号を受けるように構成される。スイッチ５２２は、同相LO入力信号、LO_Iによって制御され、スイッチ５２４と５２６は、逆の同相LO入力信号、
（外８）
2010531628.tif 000011
信号によって制御され、スイッチ５２８は、ＬＯ＿Ｉ信号によって制御される。スイッチ５１２の出力は、接続５１１によってスイッチ５２２と５２４に供給される。スイッチ５１８の出力は、接続５１９によってスイッチ５２６と５２８に供給される。スイッチ５２２の出力は、接続５３２によって供給され、スイッチ５２４の出力は、接続５３４によって供給され、スイッチ５２６の出力は、接続５３２によって供給され、スイッチ５２８の出力は、接続５３４によって供給される。スイッチ５１４の出力は、端子５１５に提供され、スイッチ５１６の出力は、端子５１７に提供される。スイッチ５１４と５１６の出力は、スイッチ５１４と５１６がアクティブの時、破棄される。
【００５１】
直交位相ミキサーコア５５５は、接続５５２と５４４によって異なる直交位相（Ｑ）入力信号を受ける。接続５５２と５５４の信号は、Ｇｍ段５５６とも呼ばれるコンダクタンス増幅器に供給される。Ｇｍ段５５６の出力は、接続５５８と５５９によって供給される。
【００５２】
直交位相ミキサーコア５５５は、第１組のスイッチ５６０と第２組のスイッチ５７０を含む。第１組のスイッチ５６０は、２ＬＯ信号を受けるように構成され、第２組のスイッチ５７０は、ＬＯ信号を受けるように構成される。
【００５３】
第１組のスイッチ５６０は、５６２、５６４、５６６と、５６８を含む。Ｇｍ段５５６の出力は、接続５５８でスイッチ５６２と５６４に供給される。Ｇｍ段５５６の出力は、接続５５９でスイッチ５６６と５６８に供給される。
（外９）
2010531628.tif 000012
信号は、スイッチ５６２を制御し、2LO信号は、スイッチ５６４と５６６を制御し、
（外１０）
2010531628.tif 000013
信号は、スイッチ５６８を制御する。
【００５４】
第２組のスイッチ５７０は、５７２、５７４、５７６と、５７８を含む。第２組のスイッチ５７０は、ＬＯ信号を受けるように構成される。スイッチ５７２は、直交位相ＬＯ入力信号、ＬＯ＿Ｑによって制御され、スイッチ５７４と５７６は、直交位相ＬＯ入力信号、
（外１１）
2010531628.tif 000014
信号によって制御され、スイッチ５７８は、ＬＯ＿Ｑ信号によって制御される。スイッチ５６２の出力は、接続５６１によってスイッチ５７２と５７４に供給される。スイッチ５６８の出力は、接続５６９によってスイッチ５７６と５７８に供給される。スイッチ５７２の出力は、接続５３２によって供給され、スイッチ５７４の出力は、接続５３４によって供給され、スイッチ５７６の出力は、接続５３２によって供給され、スイッチ５７８の出力は、接続５３４によって供給される。スイッチ５６４の出力は、端子５６５に提供され、スイッチ５６６の出力は、端子５６７に提供される。スイッチ５６４と５６６は、スイッチ５６４と５６６がアクティブの時、破棄される。ミキサーコア５００の出力は、接続５３２と５３４によってされる。
【００５５】
図５に示された構成では、Ｉ＋、Ｉ−、Ｑ＋と、Ｑ−に示されるＩとＱ入力、ＬＯ＿ＩとＬＯ＿Ｑに示されるＩとＱ  ＬＯ信号と、出力接続の極性は、交換されることができる。その結果できたアップコンバータは、低周波数のサイドバンドまたは高周波数のサイドバンドが選ばれるかどうかに関わらず、上述の利点を提供する。
【００５６】
図４に関する上述のように、スイッチングの瞬間は、対応するＧｍ段によって発生された電流入力が下位のスイッチ（５１０と５６０）によって破棄された時、上位のスイッチ（５２０と５７０）が切り替わるように適当に配置される。
【００５７】
アクティブミキサーを有するＬＯ  ２ＬＯアップコンバータ構造の使用は、ＬＯ発生回路のノイズを押さえ、信号のアップコンバージョン中のフリッカノイズを減少することでノイズ特性を改善する。ＬＯ  ２ＬＯアップコンバータ構造は、サイドバンド除去がＬＯ＿ＩとＬＯ＿Ｑ信号の位相整合でなく、２ＬＯ信号の正と負エッジに依存することから、サイドバンド除去も改善する。これらの利点により大幅な電流減少と面積減少が可能である。
【００５８】
図６は、ＬＯ  ２ＬＯアップコンバータの実施例に基づいて構成された、異なるパッシブミキサーコアを示す概略図である。ミキサーコア６００は、同相ミキサーコア６０５と直交位相ミキサーコア６５５を含む。同相ミキサーコア６０５は、電圧源６０２と６０４から異なる同相（Ｉ）入力信号を受ける。
【００５９】
同相ミキサーコア６０５は、第１組のスイッチ６１０と第２組のスイッチ６２０を含む。第１組のスイッチ６１０は、同相LO信号によって制御され、第２組のスイッチ６２０は、2LO信号によって制御される。
【００６０】
第１組のスイッチ６１０は、６１２、６１４、６１６と、６１８を含む。電流源６０２の出力は、接続６０６でスイッチ６１２と６１４に供給される。電圧源６０４の出力は、接続６０８でスイッチ６１６と６１８に供給される。
【００６１】
スイッチ６１２は、同相LO入力信号、LO_Iによって制御され、スイッチ６１４と６１６は、逆の同相信号、
（外１２）
2010531628.tif 000015
によって制御され、スイッチ６１８は、同相LO信号LO_Iによって制御される。
【００６２】
スイッチ６１２の出力は、接続６１１によってスイッチ６２２に供給される。スイッチ６１４の出力は、接続６１５によって供給され、スイッチ６１６の出力は、接続６１７によって供給され、スイッチ６１８の出力は、接続６１９によってスイッチ６２８に供給される。
【００６３】
スイッチ６２２は、２ＬＯ信号によって制御され、スイッチ６２４と６２６は、
（外１３）
2010531628.tif 000016
信号によって制御され、スイッチ６２８は、2LO信号によって制御される。スイッチ６２２の出力は、接続６３２によって供給され、スイッチ６２８の出力は、接続６３４によって供給される。スイッチ６２４の出力は、端子６３５に提供され、スイッチ６２６の出力は、端子６３７に提供される。スイッチ６２４と６２６の出力は、スイッチ６２４と６２６がアクティブの時、破棄される。
【００６４】
直交位相ミキサーコア６５５は、電圧原６５２と６５４から異なる直交位相（Ｑ）入力信号を受ける。直交位相ミキサーコア６５５は、第１組のスイッチ６６０と第２組のスイッチ６７０を含む。第１組のスイッチ６６０は、直交位相ＬＯ信号によって制御され、第２組のスイッチ６７０は、２ＬＯ信号によって制御される。
【００６５】
第１組のスイッチ６６０は、６６２、６６４、６６６と、６６８を含む。電圧源６５２の出力は、接続６５６でスイッチ６６２と６６４に供給される。電圧源６５４の出力は、接続６５８でスイッチ６６６と６６８に供給される。
【００６６】
スイッチ６６２は、直交位相ＬＯ入力信号、ＬＯ＿Ｑによって制御され、スイッチ６６４と６６６は、逆の直交位相、
（外１４）
2010531628.tif 000017
によって制御され、スイッチ６６８は、直交位相LO信号LO_Qによって制御される。
【００６７】
スイッチ６６２の出力は、接続６６１によってスイッチ６７２に供給される。スイッチ６６４の出力は、接続６６５によって供給され、スイッチ６６６の出力は、接続６６７によって供給され、スイッチ６６８の出力は、接続６６９によってスイッチ６７８に供給される。
【００６８】
スイッチ６７２は、
（外１５）
2010531628.tif 000018
信号によって制御され、スイッチ６７４と６７６は、2LO信号によって制御され、スイッチ６７８は、
（外１６）
2010531628.tif 000019
信号によって制御される。スイッチ６７２の出力は、接続６３２によって供給され、スイッチ６７８の出力は、接続６３４によって供給される。スイッチ６７４の出力は、端子６７５に提供され、スイッチ６７６の出力は、端子６７７に提供される。スイッチ６７４と６７５の出力は、スイッチ６７４と６７５がアクティブの時、破棄される。ミキサーコア６００の出力は、接続６３２と６３４によってされる。
【００６９】
図６に示された構造では、I+、I−、Q＋と、Q−に示されるIとQ入力、LO_IとLO_Qに示されるIとQ LO信号と、出力接続の極性は、交換されることができる。その結果できたアップコンバータは、低周波数のサイドバンドまたは高周波数のサイドバンドが選ばれるかどうかに関わらず、上述の利点を提供する。
【００７０】
図４に関する上述のように、スイッチングの瞬間は、下位のスイッチ（６１０と６６０）によってアップコンバートされた対応する電圧入力が上位のスイッチ（６２０と６７０）によって破棄された時、下位のスイッチ（６１０と６６０）が切り替わるように適当に配置される。
【００７１】
ここで記述されるパッシブミキサーを有するＬＯ  ２ＬＯアップコンバータ構造の使用は、ＬＯ発生回路のノイズを押さえることでノイズ特性を改善する。ＬＯ  ２ＬＯアップコンバータ構造は、サイドバンド除去がＬＯ＿ＩとＬＯ＿Ｑの位相整合でなく、２ＬＯの正と負エッジに依存することから、サイドバンド除去も改善する。これらの利点により大幅な電流減少と面積減少が可能である。
【００７２】
ＬＯ  ２ＬＯアップコンバータ構造によって提供されたもう１つの重要な利点は、互いにＩとＱ入力の負荷効果を減少する。従来のパッシブミキサーでは、ＩとＱ入力は、互いに絶えずロード（ｌｏａｄｉｎｇ）し、大きくパフォーマンスを低下させる。しかし、ＬＯ  ２ＬＯアップコンバータ構造を用いると、２ＬＯ信号で作動するスイッチは、ＩとＱ入力間で分離を提供する。しかし、この影響は、スイッチをパッシブモードに保持している時に、電流モードの入力が選ばれた場合、最小にされることもできる。
【００７３】
図７は、ＬＯ  ２ＬＯアップコンバータの実施例に基づいて構成された、異なるパッシブミキサーコアの他の実施例を示す概略図である。図６の素子と同一である図７の素子は、７ＸＸと標示され、ＸＸは図６の対応する素子を表す。電圧モードの動作が選ばれた場合、入力信号を破棄するように用いられる２ＬＯスイッチは、図７に示されるように取り除かれることができる。図６を図７との比較で示されように、スイッチ６２４、６２６、６７４と、６７６は、省かれる。
【００７４】
図８は、ＬＯ  ２ＬＯアップコンバータの実施例に基づいて構成された、異なるパッシブミキサーコアのその他の他の実施例を示す概略図である。
【００７５】
上述のＬＯ  ２ＬＯ  アップコンバータの実施例は、スイッチの数を減少して従来のミキサー構造が用いられることができる他の方式で実施されることができる。この実施例では、適当なロジック動作は、ＬＯ  ２ＬＯ信号で行われ、その波形は、従来のＩとＱアップコンバータミキサーを起動するのに用いられる。
【００７６】
図８では、ミキサーコア８００は、同相ミキサーコア８０５と直交位相ミキサーコア８５５を含む。同相ミキサーコア８０５は、電圧源８０２と８０４を含み、異なる同相（I）入力信号を提供する。同相ミキサーコア８０５は、スイッチ８１２、８１４、８１６と、８１８を含む。電圧源８０２の出力は、接続８０６でスイッチ８１２と８１４に提供される。電圧源８０４の出力は、接続８０８でスイッチ８１６と８１８に提供される。
【００７７】
この実施例では、スイッチ８１２は、LO信号、2LO*LO_Iによって制御され、スイッチ８１４と８１６は、LO信号
（外１７）
2010531628.tif 000020
によって制御され、スイッチ８１８は、LO信号、2LO*LO_Iによって制御される。
【００７８】
スイッチ８１２の出力は、接続８２２によって供給され、スイッチ８１４の出力は、接続８２４によって供給され、スイッチ８１６の出力は、接続８２２によって供給され、スイッチ８１８の出力は、接続８２４によって供給される。
【００７９】
直交位相ミキサーコア８５５は、電圧源８５２と８５４を含み、異なる直交位相（Q）入力信号を提供する。直交位相ミキサーコア８５５は、スイッチ８６２、８６４、８６６と、８６８を含む。電圧源８５２の出力は、接続８５６でスイッチ８６２と８６４に提供される。電圧源８５４の出力は、接続８５８でスイッチ８６６と８６８に提供される。
【００８０】
この実施例では、スイッチ８６２は、LO信号、
（外１８）
2010531628.tif 000021
によって制御され、スイッチ８６４と８６６は、LO信号
（外１９）
2010531628.tif 000022
によって制御され、スイッチ８６８は、LO信号、
（外２０）
2010531628.tif 000023
によって制御される。
【００８１】
スイッチ８６２の出力は、接続８２２によって供給され、スイッチ８６４の出力は、接続８２４によって供給され、スイッチ８６６の出力は、接続８２２によって供給され、スイッチ８６８の出力は、接続８２４によって供給される。ミキサーコア８００の出力は、接続８２２と８２４によってされる。
【００８２】
図９は、ここに記述されるLO信号を生成できる回路の例を示す概略図である。ここに記述されるように他の回路構造がLO信号を生成するように用いられることができる。回路は、NANDゲート９１０、９２０、９３０と、９４０を含む。NANDゲート９１０は、入力接続９０２によって2LO信号を受け、入力接続９０４によってLO_1信号を受ける。2LO*LO_I信号は、NANDゲート９１０の動作によって接続９０９で発生される。
【００８３】
NANDゲート９２０は、入力接続９２２によって2LO信号を受ける。LO_1信号は、接続９０４によって変換器９２６に供給される。入力接続９２８上の変換器９２６の出力は、
（外２１）
2010531628.tif 000024
信号である。
（外２２）
2010531628.tif 000025
信号は、NANDゲート９２０の動作によって接続９２９で発生される。
【００８４】
NANDゲート９３０は、その入力接続の１つで変換器９３６の出力を受ける。2LO信号は、接続９３２によって変換器９３６に供給される。入力接続９３８上の変換器９３６の出力は、
（外２３）
2010531628.tif 000026
信号である。NANDゲート９３０は、入力接続９３４でLO_Q信号を受ける。2LO* LO_Q信号は、NANDゲート９３０の動作によって接続９３９で発生される。
【００８５】
NANDゲート９４０は、入力接続９４７上の変換器９４６の出力を受け、入力接続９４５上の変換器９４８の出力を受ける。2LO信号は、接続９４２によって変換器９４８に供給される。入力接続９４７上の変換器９４６の出力は、
（外２４）
2010531628.tif 000027
信号である。LO_Q信号は、接続９４４によって変換器９４８に供給される。入力接続９４５上の変換器９４８の出力は、
（外２５）
2010531628.tif 000028
信号である。
（外２６）
2010531628.tif 000029
信号は、NANDゲート９４０の動作によって接続９４９で発生される。
【００８６】
図１０は、図８で記述されたLO 2LOアップコンバータの実施例で用いられるLO信号を表すグラフ図１０００である。2LO信号は、信号トレース１００２によって示され、LO_I信号は、信号トレース１００４によって示され、LO_Q信号は、信号トレース１００６によって示される。
【００８７】
2LO*LO_I信号は、信号トレース１００８によって示され、
（外２７）
2010531628.tif 000030
信号は、信号トレース１０１２によって示され、
（外２８）
2010531628.tif 000031
信号は、信号トレース１０１４によって示され、
（外２９）
2010531628.tif 000032
信号は、信号トレース１０１６によって示される。
【００８８】
図８、図９と、図１０に示された他の実施例の利点は、例えば、2LO信号に基づいて動作する上述のスイッチの付加的なスイッチによる如何なる非理想性も取り除くことである。これは、少しも理想的でない動作特性がある可能性のあるスイッチを形成する可能性がある製造プロセスに特に重要である。図９に示されるように、欠点は、低ノイズのロジック演算を用いることによる増加した消費電力である。
【００８９】
図１１は、LO 2LOアップコンバータの実施例の動作を説明する流れ図１１００である。流れ図のブロックは、上述の要素で示される順序で、または、その順序でない方式で実施されることができる。
【００９０】
ブロック１１０２では、LO信号は、ミキサーコアに供給される。ブロック１１０４では、LO信号の２倍（2LO）の周波数の信号がミキサーコアに供給される。ブロック１１０６では、ミキサーコアの出力を2LO信号に切り替える。
【００９１】
以上、本発明の好適な実施例を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００９２】
１００  ポータブルトランシーバ
１１０  送信機
１１２、１１４、１３２、１３４、１３６、１３８、１４２、１４６  接続
１１６  変調器
１２０  受信機
１３０  ベースバンドサブシステム
１３５  マイクロプロセッサ
１３８  アンテナ
１４０  電力増幅器
１４４  フロントエンドモジュール
１５５  アップコンバータソフトウェア
１６０  デジタルアナログコンバータ（ＤＡＣ）
１７０  アナログデジタルコンバータ（ＡＤＣ）
２００  アップコンバータ
２０２  発振器
２０４、２０６、２０８、２１６、２１８、２２４、２２６、２３２  接続
２１２、２１４  ミキサーコア
２２２  分配器
２２８  統合素子
３００  ミキサーコア
３０２、３０４  接続
３１０  １組のスイッチ
３１２、３１４、３１６、３１８  スイッチ
３１９、３２１  接続
３２０  １組のスイッチ
３２２、３２４、３２６、３２８  スイッチ
３３２、３３４  接続
３３６、３３８  端子
３５０  ミキサーコア
３５２、３５４  接続
３６０  １組のスイッチ
３６２、３６４、３６６、３６８  スイッチ
３６９、３７１、３８２、３８４  接続
３８６、３８８  端子
３７０  １組のスイッチ
３７２、３７４、３７６、３７８  スイッチ
４０２  ２ＬＯ信号
４０４  ＬＯ信号
４０６  実効ＬＯ信号
４１０、４１２、４１４と、４１６  安定したＬＯ信号
５００  ミキサーコア
５０２、５０４  接続
５０５  同相ミキサーコア
５０６  コンダクタンス増幅器
５０８、５０９  接続
５１０  第１組のスイッチ
５１１、５１９、５３２、５３４  接続
５１２、５１４、５１６、５１８、５２２、５２４、５２６、５２８  スイッチ
５１５、５１７  端子
５２０  第２組のスイッチ
５５２、５５４  接続
５５５  同相ミキサーコア
５５６  コンダクタンス増幅器
５５８、５５９  接続
５６０  第１組のスイッチ
５６１、５６９  接続
５６２、５６４、５６６、５６８、５７２、５７４、５７６、５７８  スイッチ
５６５、５６７  端子
５７０  第２組のスイッチ
６００  ミキサーコア
６０２、６０４  電圧源
６０５  同相ミキサーコア
６０６、６０８、６１１、６１５、６１７、６１９、６３２、６３４  接続
６１０  第１組のスイッチ
６１２、６１４、６１６と、６１８、６２２、６２４、６２６、６２８  スイッチ
６２０  第２組のスイッチ
６３５、６３７  端子
６５２、６５４  電圧源
６５５  直交位相ミキサーコア
６５６、６５８、６６１、６６５、６６７、６６９  接続
６６０  第１組のスイッチ
６６２、６６４、６６６と、６６８、６７２、６７４、６７６、６７８  スイッチ
６７０  第２組のスイッチ
６７５、６７７  端子
７００  ミキサーコア
７０２、７０４  電圧源
７０５  同相ミキサーコア
７０６、７０８、７１１、７１５、７１７、７１９、７３２、７３４  接続
７１０  第１組のスイッチ
７１２、７１４、７１６と、７１８、７２２、７２８  スイッチ
７２０  第２組のスイッチ
７５２、７５４  電圧源
７５５  直交位相ミキサーコア
７５６、７５８、７６１、７６５、７６７、７６９  接続
７６０  第１組のスイッチ
７６２、７６４、７６６、７６８、７７２、７７８  スイッチ
７７０  第２組のスイッチ
８００  ミキサーコア
８０２、８０４、８５２、８５４  電圧源
８０５  同相ミキサーコア
８０６、８０８、８２２、８２４、８５６、８５８  接続
８１２、８１４、８１６、８１８、８６２、８６４、８６６、８６８  スイッチ
８５５  直交位相ミキサーコア
９００  ＬＯ信号を生成できる回路図
９１０、９２０、９３０、９４０  ＮＡＮＤゲート
９０２、９０４、９２２、９２８、９３４、９３８、９４５、９４７  入力接続
９０９、９２９、９３２、９３９、９４２、９４４、９４９  接続
９２６、９３６、９４６、９４８  変換器
１０００  ＬＯ信号を表すグラフ図
１００２、１００４、１００６、１００８、１０１２、１０１４、１０１６  信号トレース
１１００  ＬＯ  ２ＬＯアップコンバータの動作の流れ図
１１０２  ＬＯ信号をミキサーに供給する
１１０４  ＬＯ信号の２倍（２ＬＯ）の信号をミキサーに供給する
１１０６  出力を２ＬＯ信号のみに切り替える
【図１】
2010531628.tif 000033
【図２】
2010531628.tif 000034
【図３Ａ】
2010531628.tif 000035
【図３Ｂ】
2010531628.tif 000036
【図４】
2010531628.tif 000037
【図５】
2010531628.tif 000038
【図６】
2010531628.tif 000039
【図７】
2010531628.tif 000040
【図８】
2010531628.tif 000041
【図９】
2010531628.tif 000042
【図１０】
2010531628.tif 000043
【図１１】
2010531628.tif 000044
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
入力信号、第１局部発振器（ＬＯ）信号と、前記第１局部発振器（ＬＯ）信号の周波数の２倍である周波数の第２局部発振器（２ＬＯ）信号を受けるように構成され、前記第２局部発振器（２ＬＯ）信号の遷移で入力信号を切り替えるように構成されたスイッチング構造を含むアップコンバータ。
【請求項２】
前記スイッチング構造は、前記第１局部発振器（ＬＯ）信号が安定している時間の間に前記入力信号を切り替える実効局部発振器（ｅＬＯ）信号となる請求項１に記載のアップコンバータ。
【請求項３】
前記スイッチング構造は、
前記第２局部発振器（２ＬＯ）信号を受けるように構成された第１組のスイッチ、及び
前記第１局部発振器（ＬＯ）信号を受けるように構成された第２組のスイッチを更に含む請求項１に記載のアップコンバータ。
【請求項４】
前記第２組のスイッチは、前記第１組のスイッチが前記入力信号を破棄した時、アクティブである請求項３に記載のアップコンバータ。
【請求項５】
前記入力信号を前記第１組のスイッチに提供するように配置されたコンダクタンス増幅器を更に含む請求項３に記載のアップコンバータ。
【請求項６】
前記第１組のスイッチは、前記入力信号の各直交位相のための２つのスイッチ素子を更に含む請求項３に記載のアップコンバータ。
【請求項７】
前記前記第１局部発振器信号と前記第２局部発振器信号は、統合されて統合したＬＯ  ２ＬＯスイッチング信号を形成する請求項１に記載のアップコンバータ。
【請求項８】
前記スイッチング構造は、前記入力信号の各２つの直交位相のための４つのスイッチ素子を更に含む請求項２に記載のアップコンバータ。
【請求項９】
入力信号を受けるステップ、及び
第１局部発振器（ＬＯ）信号と、前記第１局部発振器（ＬＯ）信号の周波数の２倍である周波数の第２局部発振器（２ＬＯ）信号を用いて前記入力信号を切り替えるステップを含み、前記切り替えのステップは、前記第２局部発振器（２ＬＯ）信号の遷移で生じ、且つ前記第１局部発振器信号と前記第２局部発振器信号が統合されて統合したＬＯ  ２ＬＯスイッチング信号を形成する信号をアップコンバートする方法。
【請求項１０】
前記第１局部発振器（ＬＯ）信号が安定している時間の間に実効局部発振器（ｅＬＯ）信号が前記入力信号を切り替えるステップを更に含む請求項９に記載の方法。
【請求項１１】
前記入力信号が前記第２局部発振器（２ＬＯ）信号によって破棄された時、前記第１局部発振器（２ＬＯ）信号を用いて前記入力信号を切り替えるステップを更に含む請求項１０に記載の方法。
【請求項１２】
望ましい局部発振器（ＬＯ）の周波数の２倍である周波数の局部発振器（２ＬＯ）信号を生成するように構成された周波数源、
望ましい局部発振器（ＬＯ）の周波数の２倍である周波数の局部発振器（２ＬＯ）信号を受けるように構成された分配器、及び
前記２ＬＯ信号と前記ＬＯ信号を受けるように構成され、前記２ＬＯ信号の遷移で無線周波数入力信号をスイッチするように構成されたパッシブミキサーを含み、前記２ＬＯ信号と前記２ＬＯ信号は、統合されて統合したＬＯ  ２ＬＯスイッチング信号を形成し、前記分割器によって寄与されたノイズが前記パッシブミキサーによって抑えられるパッシブミキサーを有する送信器アップコンバータ構造。
【請求項１３】
前記パッシブミキサーに供給される同相（Ｉ）入力信号または直交位相（Ｑ）入力信号を更に含み、前記パッシブミキサーが前記Ｑ入力信号から前記Ｉ入力信号を分離するステップを更に含む請求項１２に記載の送信器アップコンバータ構造。
【国際調査報告】
2010531628.tif 000045
2010531628.tif 000046